(57)【要約】【課題】ユーザ状態を取得し、取得したユーザ状態に基づきｖＣＰＥを制御するための技術を提供することである。【解決手段】本発明の一態様は、宅内装置と、前記宅内装置と通信接続される収容局と、を有する通信システムであって、前記宅内装置は、ユーザ端末におけるユーザのユーザ状態を検知し、前記検知したユーザ状態を検知情報として前記収容局に送信する検知機能部を有し、前記収容局は、前記宅内装置から前記検知情報を受信するゲートウェイ機能部と、前記検知情報に示されるユーザ状態に基づき、前記宅内装置のためのｖＣＰＥを動作させるサーバを制御する制御内容決定機能部と、を有する通信システムに関する。【選択図】図２
2018129593.tif 000002
【特許請求の範囲】
【請求項１】
宅内装置と、
前記宅内装置と通信接続される収容局と、
を有する通信システムであって、
前記宅内装置は、
ユーザ端末におけるユーザのユーザ状態を検知し、前記検知したユーザ状態を検知情報として前記収容局に送信する検知機能部を有し、
前記収容局は、
前記宅内装置から前記検知情報を受信するゲートウェイ機能部と、
前記検知情報に示されるユーザ状態に基づき、前記宅内装置のためのｖＣＰＥを動作させるサーバを制御する制御内容決定機能部と、
を有する通信システム。
【請求項２】
前記収容局は更に、前記ユーザの契約情報を記憶するユーザデータベース機能部を有し、
前記制御内容決定機能部は、前記契約情報に基づき前記ｖＣＰＥにリソースを割り当てるよう前記サーバを制御する、請求項１記載の通信システム。
【請求項３】
前記収容局は更に、前記サーバ又はネットワーク機器のリソース状況を監視するリソース管理機能部を有し、
前記制御内容決定機能部は、前記リソース状況に基づき前記ｖＣＰＥにリソースを割り当てるよう前記サーバを制御する、請求項１又は２記載の通信システム。
【請求項４】
前記収容局は更に、前記収容局と各宅内装置との通信のために確立されたトンネルについて、トンネルＩＤ毎にＤＨＣＰを管理するＤＨＣＰ管理部を有する、請求項１乃至３何れか一項記載の通信システム。
【請求項５】
前記検知機能部は、暗号化された認証情報が付与された前記検知情報を前記収容局に送信し、
前記ゲートウェイ機能部は、前記宅内装置について保持する復号キーによって前記暗号化された認証情報を復号し、前記復号した認証情報と前記宅内装置について保持する認証情報との比較結果に基づき前記受信した検知情報を検証する、請求項１乃至４何れか一項記載の通信システム。
【請求項６】
宅内装置が、ユーザ端末におけるユーザのユーザ状態を検知し、前記検知したユーザ状態を検知情報として収容局に送信するステップと、
前記収容局が、前記宅内装置から前記検知情報を受信するステップと、
前記収容局が、前記検知情報に示されるユーザ状態に基づき制御命令を生成するステップと、
前記収容局が、前記宅内装置のためのｖＣＰＥを動作させるサーバを制御するため、前記生成した制御命令を送信するステップと、
を有する通信制御方法。
【発明の詳細な説明】
【技術分野】
【０００１】
本発明は、ｖＣＰＥ（ｖｉｒｔｕａｌｉｚｅｄ  Ｃｕｓｔｏｍｅｒ  Ｐｒｅｍｉｓｅｓ  Ｅｑｕｉｐｍｅｎｔ）に関する。
【背景技術】
【０００２】
一般に、ｖＣＰＥは、宅内ネットワーク装置を仮想化（ソフトウェア化）したものであり、仮想マシン（ＶＭ）やコンテナとして提供され、サーバ上で動作する。ＶＭ、コンテナ、サーバ等に対して、起動、停止、マイグレーション等の各種制御を行う仕組みとしてＯｐｅｎＳｔａｃｋがある。
【先行技術文献】
【非特許文献】
【０００３】
【非特許文献１】openstack, http://www.openstack.org/
【発明の概要】
【発明が解決しようとする課題】
【０００４】
ｖＣＰＥの利用状況をユーザ状態から予測できる場合がある。例えば、ユーザが外出中であるとき、ｖＣＰＥは利用されないか、又は利用量が少なくなると考えられる。ここで、ユーザ状態とは、ユーザが外出中又は在宅している等、通信利用の性質が異なる状態を表す。例えば、ユーザが外出中のためｖＣＰＥが利用されないとき、ｖＣＰＥやサーバを停止することによってコストを削減することができると考えられる。このため、図１に示されるように、ユーザ状態に基づきｖＣＰＥ、ｖＣＰＥと連携動作するアプリケーション（ＡＰＬ）及びｖＣＰＥを動作させるサーバを制御することによって、ライセンス費、サーバ設備費、電気代等のコストを削減することが所望される。
【０００５】
しかしながら、従来技術によると、ユーザ状態を取得及び解釈する機能が備えられていないため、ユーザ状態に基づきｖＣＰＥ、ＡＰＬ及びサーバを制御することができない。
【０００６】
上記問題点を鑑み、本発明の課題は、ユーザ状態を取得し、取得したユーザ状態に基づきｖＣＰＥを制御するための技術を提供することである。
【課題を解決するための手段】
【０００７】
上記課題を解決するため、本発明の一態様は、宅内装置と、前記宅内装置と通信接続される収容局と、を有する通信システムであって、前記宅内装置は、ユーザ端末におけるユーザのユーザ状態を検知し、前記検知したユーザ状態を検知情報として前記収容局に送信する検知機能部を有し、前記収容局は、前記宅内装置から前記検知情報を受信するゲートウェイ機能部と、前記検知情報に示されるユーザ状態に基づき、前記宅内装置のためのｖＣＰＥを動作させるサーバを制御する制御内容決定機能部と、を有する通信システムに関する。
【発明の効果】
【０００８】
本発明によると、ユーザ状態を取得し、取得したユーザ状態に基づきｖＣＰＥを制御することができる。
【図面の簡単な説明】
【０００９】
【図１】図１は、従来のｖＣＰＥ制御を示す概略図である。
【図２】図２は、本発明の一実施例による通信システムの構成を示すブロック図である。
【図３】図３は、本発明の一実施例によるｖＣＰＥ制御処理を示すフロー図である。
【発明を実施するための形態】
【００１０】
以下、図面に基づいて本発明の実施の形態を説明する。
【００１１】
後述される実施例では、ユーザ端末に接続される宅内装置と、当該宅内装置に通信接続され、ｖＣＰＥを動作させるサーバに制御命令を送信する収容局とを有する通信システムが開示される。以下の実施例を概略すると、宅内装置は、ユーザ端末におけるユーザのユーザ状態を取得し、収容局は、宅内装置から受信したユーザ状態に基づきｖＣＰＥ及び／又はサーバを制御するための制御命令を生成し、生成した制御命令をｖＣＰＥ及び／又はサーバを制御するコントローラに送信する。これにより、ユーザ状態に基づきｖＣＰＥやサーバを起動、停止又はマイグレーションすることができる。
【００１２】
まず、図２を参照して、本発明の一実施例による通信システムを説明する。図２は、本発明の一実施例による通信システムの構成を示すブロック図である。
【００１３】
図２に示されるように、通信システム１０は、宅内装置１００、収容局２００、ユーザ端末３００及び他ネットワーク（ＮＷ）３０２を有する。例えば、通信システム１０において、ユーザ端末３００は、宅内装置１００及び収容局２００を介し他ネットワーク３０２との間でデータを送受信する。
【００１４】
宅内装置１００は、ユーザの宅内に設置された通信設備であり、例えば、通信事業者との通信接続を実現するための終端装置、ルータ、モデム、スイッチ、セットトップボックス、アクセスポイント、ホームゲートウェイなどである。宅内装置１００は、収容局２００及びユーザ端末３００に通信接続され、収容局２００及びユーザ端末３００との間の通信を実現するための通信機能を実現するためのＬ２スイッチ（Ｌ２ＳＷ）１０１と、以下で詳細に説明される検知機能部１１０とを有する。
【００１５】
収容局２００は、通信事業者側に設置され、宅内装置１００との通信接続を実現するＬ２スイッチ（Ｌ２ＳＷ）２０１、ｖＣＰＥ２０３及び／又はｖＣＰＥ２０３と連携動作するアプリケーション（ＡＰＬ）２０４を実現するためのサーバ２０２、当該サーバ２０２を制御するコントローラ２０５、以下で詳細に説明されるゲートウェイ機能部２１０、制御内容決定機能部２２０、ユーザデータベース（ＤＢ）機能部２３０、リソース監視機能部２４０及びＤＨＣＰ（Ｄｙｎａｍｉｃ  Ｈｏｓｔ  Ｃｏｎｆｉｇｕｒａｔｉｏｎ  Ｐｒｏｔｏｃｏｌ）機能部２５０を有する。
【００１６】
なお、図示された実施例では、コントローラ２０５と機能部２１０〜２５０とは収容局２００内で分離されて示されているが、本発明はこれに限定されるものでなく、例えば、機能部２１０〜２５０は、コントローラ２０５内に備えられてもよい。また、図示された実施例では、サーバ２０２が収容局２００内に設置されているが、本発明はこれに限定されるものでなく、例えば、サーバ２０２は、収容局２００から物理的に遠隔して設置されてもよい。
【００１７】
なお、宅内装置１００及び収容局２００は、例えば、バスを介し相互接続されるドライブ装置、補助記憶装置、メモリ装置、プロセッサ、インタフェース装置及び通信装置などのハードウェアリソースによって構成されてもよい。宅内装置１００及び収容局２００における各種機能及び処理を実現するプログラムを含む各種コンピュータプログラムは、ＣＤ−ＲＯＭ（Ｃｏｍｐａｃｔ  Ｄｉｓｋ−Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、フラッシュメモリなどの記録媒体によって提供されてもよい。プログラムを記憶した記録媒体がドライブ装置にセットされると、プログラムが記録媒体からドライブ装置を介して補助記憶装置にインストールされる。但し、プログラムのインストールは必ずしも記録媒体により行う必要はなく、ネットワークなどを介し何れかの外部装置からダウンロードするようにしてもよい。補助記憶装置は、インストールされたプログラムを格納すると共に、必要なファイルやデータなどを格納する。メモリ装置は、プログラムの起動指示があった場合に、補助記憶装置からプログラムやデータを読み出して格納する。プロセッサは、メモリ装置に格納されたプログラムやプログラムを実行するのに必要なパラメータなどの各種データに従って、宅内装置１００及び収容局２００の各種機能及び処理を実行する。インタフェース装置は、ネットワーク又は外部装置に接続するための通信インタフェースとして用いられる。通信装置は、インターネットなどのネットワークと通信するための各種通信処理を実行する。しかしながら、宅内装置１００及び収容局２００は、上述したハードウェア構成に限定されるものでなく、他の何れか適切なハードウェア構成により実現されてもよい。
【００１８】
ユーザ端末３００は、パーソナルコンピュータ（ＰＣ）、スマートフォン、タブレット、テレビ等の通信機能を備えた各種情報処理装置であってもよく、宅内装置１００を介し通信事業者のネットワークに接続する。
【００１９】
他ネットワーク３０２は、典型的には、インターネットなどの公衆ネットワークである。
【００２０】
本実施例では、検知機能部１１０は、ユーザ端末３００におけるユーザのユーザ状態を検知し、検知したユーザ状態を検知情報として収容局２００に送信すると共に、ゲートウェイ機能部２１０は、宅内装置１００から検知情報を受信し、制御内容決定機能部２２０は、検知情報に示されるユーザ状態に基づき、ユーザ端末３００のためのｖＣＰＥ２０３を動作させるサーバ２０２を制御する。
【００２１】
具体的には、検知機能部１１０は、ユーザが外出中か在宅しているか、ユーザが宅内でユーザ端末３００を利用しているか否か、ユーザ端末３００が通信機能を実行中か否かなど、ユーザ端末３００における通信利用の性質が異なる状態を表す。例えば、検知機能部１１０は、ユーザ端末３００による通信利用状態（通信時間、通信量など）を監視し、所定の条件が充足されたかに基づきユーザ端末３００におけるユーザ状態を判断してもよい。例えば、所定の時間以上ユーザ端末３００との通信量が所定の閾値以下であった場合、検知機能部１１０は、ユーザが外出中であると判断し、そうでない場合、ユーザが在宅していると判断してもよい。検知機能部１１０は、収容局２００に検知されたユーザ状態を検知情報として送信する。検知情報は、例えば、宅内装置１００に対して確立されたＬ２トンネル２０６を介し送信されてもよい。
【００２２】
Ｌ２トンネル２０６において検知情報を検出すると、ゲートウェイ機能部２１０は、Ｌ２トンネル２０６から検知情報を抽出し、抽出した検知情報を制御内容決定機能部２２０に送信する。制御内容決定機能部２２０は、受信した検知情報に基づき、宅内装置１００に対して設定されているｖＣＰＥ２０３の今後の利用状況を予測し、ｖＣＰＥ２０３やサーバ２０２を起動／停止するか、又はマイグレーションするための制御命令を生成する。例えば、ユーザ状態がユーザが外出中であることを示す場合、制御内容決定機能部２２０は、ｖＣＰＥ２０３の以降の利用が少ないと判断し、ｖＣＰＥ２０３やサーバ２０２を停止させるか、又は以降の利用状況に対応したマイグレーションを実行させるための制御命令を生成し、生成した制御命令をコントローラ２０５に送信してもよい。他方、ユーザ状態がユーザが在宅していることを示す場合、制御内容決定機能部２２０は、ｖＣＰＥ２０３の以降の利用が多いと判断し、ｖＣＰＥ２０３やサーバ２０２を起動させるか、又は以降の利用状況に対応したマイグレーションを実行させるための制御命令を生成し、生成した制御命令をコントローラ２０５に送信してもよい。当該制御命令を受信すると、コントローラ２０５は、受信した制御命令に従ってサーバ２０２及び／又はｖＣＰＥ２０２を制御する。これにより、ユーザ状態に対応したｖＣＰＥ２０３及び／又はサーバ２０２の制御が可能になり、不要なコストを削減することができる。
【００２３】
一実施例では、ユーザデータベース機能部２３０は、ユーザの契約情報を記憶し、制御内容決定機能部２２０は、当該契約情報に基づきｖＣＰＥ２０３にリソースを割り当てるようサーバ２０２を制御してもよい。具体的には、ユーザデータベース機能部２３０は、当該通信事業者に対する各ユーザの契約情報を記憶する。具体的には、契約情報は、通信品質に関する契約情報（例えば、通信速度（１００Ｍｂｐｓ、１Ｇｂｐｓなど）など）を含むものであってもよい。例えば、ユーザが在宅していることを示すユーザ状態を受信すると、制御内容決定機能部２２０は、ユーザデータベース機能部２３０から当該ユーザの契約情報を取得し、当該ユーザが契約した通信速度を提供可能なリソースをｖＣＰＥ２０３に割り当てる制御命令を生成し、生成した制御命令をコントローラ２０５に送信してもよい。当該制御命令を受信すると、コントローラ２０５は、受信した制御命令に示されたリソースをｖＣＰＥ２０２に割り当てるようサーバ２０２に指示する。これにより、ユーザ状態だけでなくユーザ契約に対応したｖＣＰＥ２０３及び／又はサーバ２０２の制御が可能になり、ｖＣＰＥ２０３に最適なリソースを割り当てることができる。
【００２４】
また、一実施例では、リソース監視機能部２４０は、サーバ２０２又はネットワーク機器のリソース状況を監視し、制御内容決定機能部２２０は、当該リソース状況に基づきｖＣＰＥ２０３にリソースを割り当てるようサーバ２０２を制御してもよい。具体的には、リソース監視機能部２４０は、サーバ２０２や各種ネットワーク機器のリソース状況を常時監視し、サーバ２０２の稼働状況やネットワークの輻輳状況などを判断する。例えば、ユーザが外出中であることを示すユーザ状態を受信すると、制御内容決定機能部２２０は、リソース監視機能部２４０からサーバ２０２の稼働状況及び／又はネットワークの輻輳状況を取得し、サーバ２０２の稼働状況及び／又はネットワークの輻輳状況に応じてｖＣＰＥ２０３に割り当てるリソースを決定してもよい。例えば、サーバ２０２の稼働状況及び／又はネットワークの輻輳状況が逼迫していない場合、制御内容決定機能部２２０は、ユーザが外出中であっても、ｖＣＰＥ２０３を停止又はマイグレーションすることなく維持してもよい。他方、ユーザが在宅していることを示すユーザ状態を受信したとき、サーバ２０２の稼働状況及び／又はネットワークの輻輳状況が逼迫している場合、制御内容決定機能部２２０は、ユーザが在宅中であっても、ｖＣＰＥ２０３に割り当てるリソースを減らすようサーバ２０２を制御してもよい。これにより、ユーザ状態だけでなく通信システム１０におけるリソース状況に対応したｖＣＰＥ２０３及び／又はサーバ２０２の制御が可能になり、ｖＣＰＥ２０３に最適なリソースを割り当てることができる。
【００２５】
また、一実施例では、ＤＨＣＰ機能部２５０は、収容局２００と各宅内装置１００との通信のために確立されたトンネルについて、トンネルＩＤ毎にＤＨＣＰを管理してもよい。具体的には、ＤＨＣＰ機能部２５０は、トンネルＩＤ毎、すなわち、宅内装置１００毎に管理テーブルを有し、これにより、ユーザ毎、すなわち、宅内装置１００毎に必要となるＤＨＣＰ機能部を集約することができる。検知機能部１１０から収容局２００に検知情報をＩＰネットワークで送信する際、検知機能部１１０にＩＰアドレスを設定するためのＤＨＣＰ機能が必要となる。ユーザ毎にＤＨＣＰサーバを配備すると、ｖＣＰＥを削減するという本発明の目的と矛盾することになり、また、全ユーザに共通のＤＨＣＰサーバを配備すると、ユーザが利用可能なＩＰアドレスが制限されるという問題がある。本実施例では、全ユーザに共通のＤＨＣＰにユーザ毎に異なるＤＨＣＰの管理テーブルを設定することによって、このような問題を回避する。ＤＨＣＰ機能部２５０は、Ｌ２ＳＷ２０１との間でＬ２トンネル２０６を確立し、トンネルＩＤ毎にＤＨＣＰの管理テーブルを有することとし、当該管理テーブルに基づき各ユーザ又は宅内装置１００にＤＨＣＰ機能を提供する。これにより、ユーザ毎又は宅内装置１００毎に必要となるＤＨＣＰ機能部を集約することができる。
【００２６】
また、一実施例では、検知機能部１１０は、暗号化された認証情報が付与された検知情報を収容局２００に送信し、ゲートウェイ機能部２１０は、宅内装置１００について保持する復号キーによって暗号化された認証情報を復号し、復号した認証情報と宅内装置１００について保持する認証情報との比較結果に基づき受信した検知情報を検証してもよい。一般的に、端末詐称を防止するためには、正規の端末間の通信にＩＰｓｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）やＳＳＬ（Ｓｅｃｕｒｅ  Ｓｏｃｋｅｔｓ  Ｌａｙｅｒ）といった暗号化可能なプロトコルを用いる。これらのプロトコルへの対応は、検知機能部１１０の実装の複雑化や通信化異数の増加による消費電力の増加につながり、検知機能部１１０を利用可能な宅内装置１００が制限される可能性がある。そこで、本実施例では、検知機能部１１０は、検知情報のパケットに認証情報を付与し、認証情報が付与された検知情報を収容局２００に送信する。ゲートウェイ機能部２１０は、当該認証情報を利用して受信した検知情報を検証する。これにより、詐称防止機能の実装の簡単化と通信回数の削減による消費電力の削減を図ることができる。具体的には、検知機能部１１０は、暗号化した認証情報をＩＰヘッダのオプション領域又はペイロードに格納して、検知情報を送信する。ゲートウェイ機能部２１０は、Ｌ２ＳＷ２０１との間でＬ２トンネル２０６を確立し、当該Ｌ２トンネル２０６を介し検知情報のパケットを受信する。それから、ゲートウェイ機能部２１０は、受信したパケットのＩＰヘッダのオプション領域又はペイロードから暗号化された認証情報を取得し、ユーザデータベース機能部２３０からトンネルＩＤに基づき当該宅内装置１００の復号キーと認証情報とを取得する。ここで、ユーザデータベース機能部２３０は、各ユーザ又は宅内装置１００のトンネルＩＤと認証情報とを復号キーと関連付けて管理し、ゲートウェイ機能部２１０からのリクエストに応答して、受信したトンネルＩＤに対応する復号キーと認証情報とをゲートウェイ機能部２１０に提供する。復号キーを取得すると、ゲートウェイ機能部２１０は、当該復号キーによって暗号化された認証情報を復号し、復号した認証情報とユーザデータベース機能部２３０から取得した認証情報とを比較する。これらの認証情報が一致する場合、ゲートウェイ機能部２１０は、検知情報の送信元が正規の検知機能部１１０であると判断し、当該検知情報を制御内容決定機能部２２０に送信し、他方、一致しない場合、ゲートウェイ機能部２１０は、当該検知情報を制御内容決定機能部２２０に送信することなく破棄する。これにより、検知機能部１１０又は宅内装置１００を詐称する通信を遮断することが可能になる。
【００２７】
次に、図３を参照して、本発明の一実施例による通信システム１０におけるｖＣＰＥ制御処理を説明する。図３は、本発明の一実施例によるｖＣＰＥ制御処理を示すフロー図である。
【００２８】
図３に示されるように、ステップＳ１０１において、宅内装置１００は、ユーザ端末３００におけるユーザのユーザ状態を検知し、検知したユーザ状態を検知情報として収容局２００に送信する。具体的には、検知機能部１１０は、ユーザが外出中か在宅しているか、ユーザが宅内でユーザ端末３００を利用しているか否か、ユーザ端末３００が通信機能を実行中か否かなど、ユーザ端末３００による通信利用状態（通信時間、通信量など）を監視し、所定の条件が充足されたかに基づきユーザ端末３００におけるユーザ状態を判断してもよい。また、当該検知情報は、宅内装置１００に保持される認証情報を保持される暗号キーにより暗号化し、暗号化された認証情報が付与された検知情報を収容局２００に送信してもよい。
【００２９】
ステップＳ１０２において、ゲートウェイ機能部２１０は、宅内装置１００から検知情報を受信する。例えば、検知情報に暗号化された認証情報が付与されている場合、ゲートウェイ機能部２１０は、当該検知情報が送信されたＬ２トンネルのトンネルＩＤをユーザデータベース機能部２３０に提供し、当該トンネルＩＤに対応する復号キーと認証情報とを取得する。取得した復号キーによって認証情報を復号すると、ゲートウェイ機能部２１０は、復号した認証情報とユーザデータベース機能部２３０から取得した認証情報とを比較し、一致した場合には受信した検知情報を制御内容決定機能部２２０に送信する。
【００３０】
ステップＳ１０３において、制御内容決定機能部２２０は、検知情報に示されるユーザ状態に基づき制御命令を生成する。具体的には、制御内容決定機能部２２０は、受信した検知情報に基づき、宅内装置１００に対して設定されているｖＣＰＥ２０３の今後の利用状況を予測し、ｖＣＰＥ２０３やサーバ２０２を起動／停止するか、又はマイグレーションするための制御命令を生成し、生成した制御命令をコントローラ２０５に送信する。他の実施例では、制御内容決定機能部２２０は、ユーザデータベース機能部２３０から取得したユーザの契約情報及び／又はリソース監視機能部２４０から取得したサーバ２０２の稼働状況及び／又はネットワークの輻輳状況に更に基づき、ｖＣＰＥ２０３に割り当てる最適なリソースを決定してもよい。
【００３１】
ステップＳ１０４において、制御内容決定機能部２２０は、宅内装置１００のためのｖＣＰＥ２０３を動作させるサーバ２０２を制御するため、生成した制御命令を送信する。具体的には、制御内容決定機能部２２０は、生成した制御命令をサーバ２０２及び／又はｖＣＰＥ２０３を制御するコントローラ２０５に送信してもよい。
【００３２】
以上、本発明の実施例について詳述したが、本発明は上述した特定の実施形態に限定されるものではなく、特許請求の範囲に記載された本発明の要旨の範囲内において、種々の変形・変更が可能である。
【符号の説明】
【００３３】
１０  通信システム
１００  宅内装置
１０１  Ｌ２ＳＷ
１１０  検知機能部
２００  収容局
２０１  Ｌ２ＳＷ
２０２  サーバ
２０３  ｖＣＰＥ
２０４  アプリケーション
２０５  コントローラ
２０６  Ｌ２トンネル
２１０  ゲートウェイ機能部２１０
２２０  制御内容決定機能部
２３０  ユーザデータベース機能部２３０
２４０  リソース監視機能部
２５０  ＤＨＣＰ機能部
３００  ユーザ端末
３０１  Ｌ２トンネル
３０２  他ネットワーク
【図１】
2018129593.tif 000003
【図２】
2018129593.tif 000004
【図３】
2018129593.tif 000005